(57)【要約】【課題】筐体内に液体が侵入しても動作不良が起きないキーボード装置を提供する。【解決手段】キーボード装置は、入力する文字に対応付けられた複数のキートップと、キートップを挿通する開口部を有するカバー部と、カバー部に嵌め込まれる底蓋部と、キートップの押下によってＯＮされるスイッチ回路と、スイッチ回路を被覆し、キートップを挿通する挿通孔及び挿通孔の縁を周回するように設けられ、キートップの方向に突出するフランジ部を有するハウジングと、フランジ部に嵌め込まれる防水キャップと、を備える。【選択図】図３
2014170300.tif 000002
【特許請求の範囲】
【請求項１】
入力する文字に対応付けられた複数のキートップと、
前記キートップを挿通する開口部を有するカバー部と、
前記カバー部に嵌め込まれる底蓋部と、
前記キートップの押下によってＯＮされるスイッチ回路と、
前記スイッチ回路を被覆し、前記キートップを挿通する挿通孔及び前記挿通孔の縁を周回するように設けられ、前記キートップの方向に突出するフランジ部を有するハウジングと、
前記フランジ部に嵌め込まれる防水キャップと、
を備えるキーボード装置。
【請求項２】
前記ハウジングは、
オペレータ方向手前側が低くなるように傾斜する請求項１記載のキーボード装置。
【請求項３】
前記カバー部は、
前記ハウジングとの間に、オペレータ方向手前側に間隙に間隙を有する請求項２記載のキーボード装置。
【請求項４】
前記底蓋部は、
底面に前記底面方向に傾斜するスロープと、
前記スロープの先端に設けられる排水孔と、
を備える請求項３記載のキーボード装置。
【請求項５】
前記フランジ部は、
前記防水キャップの取り付け部分の外径が、前記フランジ部の他の部分の外径より細い請求項４記載のキーボード装置。
【発明の詳細な説明】
【技術分野】
【０００１】
本発明の実施形態は、キーボード装置に関する。
【背景技術】
【０００２】
コンピュータ、取り分けＰＯＳ端末などの金銭登録機においては、入力のためにキーボードが使用される。
【０００３】
このキーボードは、上下方向に可動なキートップと、キートップが押下されたときにＯＮされるスイッチ回路と、キートップ及びスイッチ回路を支持する筐体と、を備える。
【０００４】
特に、金銭登録機においては、金銭の清算の現場において濡れた手によってキー操作がなされる場合が多い。
【０００５】
従来のキーボード装置は、キートップの取り付け部分と筐体との間に隙間があり、この隙間から水等の液体が侵入し、スイッチ回路が被水して破損する恐れがあった。
【０００６】
この点に関し、筐体に排水手段を設けたノート型パーソナルコンピュータが提案されている。
【０００７】
しかし、排水路を設けただけでは、スイッチ回路の被水を逃れられない。
【先行技術文献】
【特許文献】
【０００８】
【特許文献１】特開２００３−１２２４５４号公報
【発明の概要】
【発明が解決しようとする課題】
【０００９】
従って、筐体内に液体が侵入しても動作不良が起きないキーボード装置が求められている。
【課題を解決するための手段】
【００１０】
上記の課題を解決するために、本発明の一実施形態は、入力する文字に対応付けられた複数のキートップと、キートップを挿通する開口部を有するカバー部と、カバー部に嵌め込まれる底蓋部と、キートップの押下によってＯＮされるスイッチ回路と、スイッチ回路を被覆し、キートップを挿通する挿通孔及び挿通孔の縁を周回するように設けられ、キートップの方向に突出するフランジ部を有するハウジングと、フランジ部に嵌め込まれる防水キャップと、を備えるキーボード装置を提供する。
【図面の簡単な説明】
【００１１】
【図１】キーボード装置の外観斜視図である。
【図２】キーボード装置からカバー部と、底蓋部を取り除いた様子を示す図である。
【図３】図２におけるキーボード装置の分解斜視図である。
【図４】キーボード装置の図１におけるＡＡ線断面図である。
【図５】底蓋部の外観斜視図である。
【発明を実施するための形態】
【００１２】
以下、キーボード装置の一実施形態について、図面を用いて詳細に説明する。
【００１３】
本実施形態のキーボード装置は、入力する文字に対応付けられた複数のキートップと、キートップを挿通する開口部を有するカバー部と、カバー部に嵌め込まれる底蓋部と、キートップの押下によってＯＮされるスイッチ回路と、スイッチ回路を被覆し、キートップを挿通する挿通孔及び挿通孔の縁を周回するように設けられ、キートップの方向に突出するフランジ部を有するハウジングと、フランジ部に嵌め込まれる防水キャップと、を備える。
【００１４】
図１は、本実施形態のキーボード装置１の外観斜視図である。図１に示すように、キーボード装置１は、入力する文字に対応付けられた複数のキートップ１１と、キートップ１１を挿通する開口部２１Ａを有するカバー部２１と、カバー部２１に嵌め込まれる底蓋部３１と、を備える。
【００１５】
キートップ１１は、開口部２１Ａから一部が露出し、押下することが可能なように設置される。
【００１６】
図２は、キーボード装置１からカバー部２１と、底蓋部３１を取り除いた様子を示す図である。図３は、図２におけるキーボード装置１の分解斜視図である。
【００１７】
図２及び図３に示すように、キーボード装置１は、キートップ１１と、キートップ１１の押下によってＯＮされるスイッチ回路１３Ａと、スイッチ回路１３Ａを被覆し、キートップ１１を挿通する挿通孔１３Ｂ及びこの挿通孔１３Ｂの縁を周回するように設けられ、キートップ１１の方向に突出するフランジ部１４を有するハウジング１３と、フランジ部１４に嵌め込まれる防水キャップ１２と、を備える。
【００１８】
ハウジング１３は、スイッチ回路１３Ａを被覆するとともに支持する。また、ハウジング１３は、キートップ１１を摺動可能に支持する。
【００１９】
キートップ１１は、棒状態１１Ａを備え、キートップ１１が押下されると棒状態１１Ａがスイッチ回路１３Ａの方向に変位し、スイッチ回路１３Ａの対応するスイッチがＯＮされる。
【００２０】
防水キャップ１２は、フランジ部１４に隙間なく嵌め込まれる。また、防水キャップ１２はキートップ１１に隙間なく取り付けられる。
【００２１】
防水キャップ１２は、外径の最大部分がキートップ１１の外径の最小部分より径が小さい。従って、防水キャップ１２は取り付けられると外部から視認できない。
【００２２】
防水キャップ１２は、キートップ１１の押下によって弾性変形する材質、例えばクロロプレンゴムなどによって形成される。
【００２３】
図４は、キーボード装置１の図１におけるＡＡ線断面図である。図５は、底蓋部３１の外観斜視図である。図４に示すように、キーボード装置１は、ハウジング１３が、オペレータ方向手前側が低くなるように傾斜するように取り付けられる。ハウジング１３の傾斜角は例えば５°とすることができる。したがって、キートップ１１の表面はオペレータ方向手前側が低くなるように傾斜する。
【００２４】
また、図４に示すように、フランジ部１４は防水キャップ１２の取り付け部分の外径が他の部分の外径より細くなるように形成される。従って、防水キャップ１２はフランジ部１４に対して傾かずに設置することが容易になる。
【００２５】
カバー部２１は、ハウジング１３をオペレータ方向手前側に間隙２１Ｂができるように被覆する。
【００２６】
図５に示すように、底蓋部３１は、底面に底蓋部３１の底面方向に傾斜するスロープ３１Ａと、スロープ３１Ａの先端に設けられる排水孔３１Ｂと、を備える。
【００２７】
図４に示すように、矢印Ｘ１に示すようにキートップ１１の上方から侵入した液体は、防水キャップ１２によってスイッチ回路１３Ａに流れることを防止され、矢印Ｘ２に示すようにオペレータ方向手前側が低くなるように傾斜するハウジング１３の表面を伝ってハウジング１３とカバー部２１との間隙２１Ｂを流れ、矢印Ｘ３に示すように底蓋部３１のスロープ３１Ａを伝って排水孔３１Ｂからキーボード装置１の外部に排出される。
【００２８】
従って、キートップ１１の表面方向から液体が侵入しても、キーボード装置１は誤動作したり破損したりすることがない。
【００２９】
以上述べたように、本実施形態のキーボード装置１は、入力する文字に対応付けられた複数のキートップ１１と、キートップ１１を挿通する開口部２１Ａを有するカバー部２１と、カバー部２１に嵌め込まれる底蓋部３１と、キートップ１１の押下によってＯＮされるスイッチ回路１３Ａと、スイッチ回路１３Ａを被覆し、キートップ１１を挿通する挿通孔１３Ｂ及びこの挿通孔１３Ｂの縁を周回するように設けられ、キートップ１１の方向に突出するフランジ部１４を有するハウジング１３と、フランジ部１４に嵌め込まれる防水キャップ１２と、を備える。
【００３０】
従って、筐体内に液体が侵入しても防水キャップ１２によって防水され、排水孔３１Ｂにより効率よく排水されるため、動作不良が起きないという効果がある。
【００３１】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３２】
１１：キートップ
１２：防水キャップ
１３：ハウジング
１３Ａ：スイッチ回路
１４：フランジ部
２１Ａ：間隙
３１Ａ：スロープ
３１Ｂ：排水孔
【図１】
2014170300.tif 000003
【図２】
2014170300.tif 000004
【図３】
2014170300.tif 000005
【図４】
2014170300.tif 000006
【図５】
2014170300.tif 000007